(57)【要約】【課題】記録媒体を同じ吸着力で保持する搬送機構は、インクの着弾の際に紙伸びが発生し、複数の記録ヘッドを繋ぎ合わせた構成のラインヘッドにおけるつなぎ目においては、紙伸びによる画像の位置ずれにより記録された画像の質が低下している。【解決手段】インクジェットプリンタは、記録ヘッドのつなぎ目に対向する記録媒体の領域に対する吸着力を非つなぎ目の領域に対する吸着力よりも高めることにより、インクが吐出された記録媒体の紙伸びにおける主走査方向に働く内部応力を分散して紙伸びを抑制する。【選択図】図６
2012187713.tif 000002
【特許請求の範囲】
【請求項１】
インクを吐出する複数のノズルが予め定めた間隔で配列された、主走査方向に沿った記録媒体の幅に満たない短尺ヘッドを複数用いて、前記主走査方向と直交する方向から見て前記短尺ヘッドの端部に互いに重なりを持たせるようにつなぎ目を設けて、前記主走査方向に沿って配設して構成されるラインヘッドと、
記録媒体を保持し、前記主走査方向と直交する方向に、前記ラインヘッド下方を通過させる記録媒体搬送部と、を具備し、
前記記録媒体搬送部の前記記録媒体の保持面には、保持している前記記録媒体に対して、前記つなぎ目を含むつなぎ目領域と、前記つなぎ目を含まない非つなぎ目領域を設けて、前記つなぎ目領域の吸着力を非つなぎ目領域より大きくする第１の保持機構、又は前記つなぎ目領域の摩擦係数を非つなぎ目領域より大きくする第２の保持機構のいずれかを搭載し、時間差を有して前記インクが吐出された前記記録媒体の紙伸びにおける前記主走査方向に働く内部応力が分散されることを特徴とするインクジェットプリンタ。
【請求項２】
前記記録媒体搬送部は、
金属材料による円筒形状を成し、前記保持面となる円筒表面に前記記録媒体を吸着保持するためのドラムと、
前記ドラムを定回転させる駆動機構と、を備え、さらに、
前記第１の保持機構は、前記ラインヘッドのつなぎ目と対向する前記ドラムの円筒表面のみに設けられた帯状の絶縁層と、
前記絶縁層及び前記記録媒体を帯電させる帯電部と、を具備し、
帯電された前記絶縁層のみで前記記録媒体を吸着することを特徴とする請求項１に記載のインクジェットプリンタ。
【請求項３】
前記記録媒体搬送部は、
金属材料による円筒形状を成し、前記保持面となる円筒表面に前記記録媒体を吸着保持するためのドラムと、
前記ドラムを定回転させる駆動機構と、を備え、さらに、
前記第１の保持機構は、
少なくとも保持される前記記録媒体が接する前記ドラムの前記円筒表面上に設けられた絶縁層と、
前記ラインヘッドのつなぎ目と対向する前記円筒表面の前記絶縁層のみ、及び前記記録媒体を帯電させる帯電部と、を具備し、
前記帯電により前記絶縁層上に形成された帯電領域のみに前記記録媒体を吸着することを特徴とする請求項１に記載のインクジェットプリンタ。
【請求項４】
前記記録媒体搬送部は、
金属材料による円筒形状を成し、前記保持面となる円筒表面に前記記録媒体を吸着保持するためのドラムと、
前記ドラムを定回転させる駆動機構と、を備え、さらに、
前記第１の保持機構は、
前記ラインヘッドのつなぎ目と対向する前記ドラムの円筒表面のみに帯状に開口された複数の吸引孔と、
前記ドラム内の気体を外部に排気し、該ドラム内を負圧にする吸引ファンと、を具備し、
前記吸引ファンによる前記ドラム内の負圧により、前記吸引孔にのみ前記記録媒体を吸着することを特徴とする請求項１に記載のインクジェットプリンタ。
【請求項５】
前記記録媒体搬送部は、
金属材料による円筒形状を成し、前記保持面となる円筒表面に前記記録媒体を吸着保持するためのドラムと、
前記ドラムを定回転させる駆動機構と、を備え、さらに、
前記第１の保持機構は、
少なくとも保持される前記記録媒体が接する前記ドラムの前記円筒表面上に設けられた絶縁層と、
前記つなぎ目領域の第１の絶縁層領域のみと前記記録媒体を帯電させる第１の帯電部と、
前記非つなぎ目領域の第２の絶縁層領域のみと前記記録媒体を帯電させる第２の帯電部と、
を具備し、前記第１の帯電部による前記つなぎ目領域の吸着力を前記第２の帯電部による非つなぎ目領域より大きくすることを特徴とする請求項１に記載のインクジェットプリンタ。
【請求項６】
前記記録媒体搬送部は、
金属材料による円筒形状を成し、前記保持面となる円筒表面に前記記録媒体を吸着保持するためのドラムと、
前記ドラムを定回転させる駆動機構と、を備え、さらに、
前記第１の保持機構は、
前記ラインヘッドの前記つなぎ目領域と対向する前記ドラムの円筒表面に帯状に並んで開口された複数の第１の吸引孔と、
前記ラインヘッドの前記非つなぎ目領域と対向する前記ドラムの円筒表面に帯状に並んで開口された複数の第２の吸引孔と、を具備し、
前記第１の吸引孔の単位面積当たりの開口率が第２の吸引孔の単位面積当たりの開口率よりも高く開口されることを特徴とする請求項１に記載のインクジェットプリンタ。
【請求項７】
前記記録媒体搬送部は、
金属材料による円筒形状を成し、前記保持面となる円筒表面に前記記録媒体を吸着保持するためのドラムと、
前記ドラムを定回転させる駆動機構と、を備え、さらに、
前記第２の保持機構は、
少なくとも保持される前記記録媒体が接する前記ドラムの前記円筒表面上に設けられた絶縁層と、
前記ラインヘッドの前記つなぎ目領域と対向する前記ドラムの円筒表面の絶縁層上に形成され、第１の摩擦係数を有する第１の保持領域と、
前記ラインヘッドの前記非つなぎ目領域と対向する前記ドラムの円筒表面の絶縁層上に形成され、第１の摩擦係数を有する第２の保持領域と、を具備し、
前記つなぎ目領域における前記第１の摩擦係数が前記非つなぎ目領域における第２の保持領域よりも大きいことを特徴とする請求項１に記載のインクジェットプリンタ。
【請求項８】
前記記録媒体搬送部は、
金属材料による円筒形状を成し、前記保持面となる円筒表面に前記記録媒体を吸着保持するドラムと、
前記ドラムを定回転させる駆動機構と、を備え、
さらに、
第１の保持機構は、前記ラインヘッドのつなぎ目間と対向する前記ドラムの円筒表面のみに設けられた帯状の絶縁層と、
前記絶縁層及び前記記録媒体を帯電させる帯電部と、を具備し、
前記帯電により、前記絶縁層にのみ前記記録媒体を吸着することを特徴とする請求項１に記載のインクジェットプリンタ。
【請求項９】
前記記録媒体搬送部は、
金属材料による円筒形状を成し、前記保持面となる円筒表面に前記記録媒体を吸着保持するドラムと、
前記ドラムを定回転させる駆動機構と、を備え、
さらに、
前記第１の保持機構は、
前記ラインヘッドの非つなぎ目と対向する前記ドラムの円筒表面のみに帯状に開口された複数の吸引孔と、
前記ドラム内の気体を外部に排気し、該ドラム内を負圧にする吸引ファンと、を具備し、
前記吸引ファンによる前記ドラム内の負圧により、前記吸引孔にのみ前記記録媒体を吸着することを特徴とする請求項１に記載のインクジェットプリンタ。
【請求項１０】
前記インクジェットプリンタは、さらに、
前記ラインヘッドの前記ノズルの配列方向の一端に設けられ、前記ラインヘッドを前記主走査方向において前記間隔以下の距離で揺動するヘッド移動機構と、
前記ラインヘッドにおける前記ヘッド移動機構を設けた一端とは反対側の他端に設けられ、前記一端側に向かって付勢する弾性部材と、を備え、
定回転する前記ドラムにより保持されている前記記録媒体が前記ラインヘッド下方を複数回、通過する毎に、前記ヘッド移動機構により前記間隔以下の距離を移動された前記ラインヘッドのノズルからインクを吐出されて画像記録を行うことを特徴とする請求項１乃至３に記載のインクジェットプリンタ。
【請求項１１】
前記記録媒体搬送部は、
複数のプーリと、これらのプーリに巻回して、回転する無端ベルトと、
少なくとも１つの前記プーリを回転させて、前記ベルトを定回転させる駆動機構と、を備え、さらに、
前記第１の保持機構は、前記ラインヘッドのつなぎ目と対向する前記無端ベルトの表面のみに設けられた帯状の絶縁層と、
前記絶縁層及び前記記録媒体を帯電させる帯電部と、を具備し、
帯電された前記絶縁層のみで前記記録媒体を吸着することを特徴とする請求項１に記載のインクジェットプリンタ。
【発明の詳細な説明】
【技術分野】
【０００１】
本発明は、記録媒体を搬送し、固定されたラインヘッドにより画像記録を行うインクジェットプリンタに関する。
【背景技術】
【０００２】
従来、インクジェットプリンタには、画像記録の高速化を図るために、ラインヘッドを備え、記録媒体のみを搬送することで画像記録を行うプリンタ（以下、ラインプリンタと称す。）がある。  
このようなラインプリンタの中で、複数個の短尺なインクヘッドを記録媒体（記録紙）の搬送方向と直交する方向（主走査方向）で、互いの端部が重複するように配置することで１つのラインヘッドを構成のものがある。このラインヘッドは、隣接するインクヘッドのつなぎ目に相当する部分とつなぎ目以外の部分とで濃度差による画質悪化が問題となる。そこで、例えば、特許文献１及び特許文献２には、隣接するインクヘッドのつなぎ目に相当する部分での画質悪化を防止する技術が開示されている。
【０００３】
この特許文献１で提案されるインクジェットプリンタは、隣接するインクヘッド同士で、一方のインクヘッドの端に形成されたダミーノズルと、もう一方のインクヘッドの端に形成されたノズルとをカメラで同時に撮影しながら正確に位置決めしている。このように、ラインヘッドを組み立てる際に、隣接するインクヘッド同士を正確に位置決めすることでつなぎ目に相当する部分での画質悪化を防止している。
【０００４】
また、特許文献２のインクジェットプリンタは、隣接するインクヘッドのつなぎ目において、一方のインクヘッドから吐出されたインクによって形成されたドットと、もう一方のインクヘッドから吐出されたインクによって形成されたドットと、が交互に配設されるようにインクヘッドの吐出を制御している。このようにして、つなぎ目に相当する部分での画質悪化を防止している。
【先行技術文献】
【特許文献】
【０００５】
【特許文献１】特開平１１−０２０１７５号公報
【特許文献２】特開２００１−２７０１５５号公報
【発明の概要】
【発明が解決しようとする課題】
【０００６】
前述したインクジェットプリンタにおいて、記録媒体である用紙にインクを吐出すると、着弾した領域（ドット）の用紙部分に伸びが発生する。そのため、各色のラインヘッド間や、同色のインクヘッドにおけるつなぎ目において、記録媒体上に着弾したインク滴のドット間隔が拡がったり、狭まったりする。
【０００７】
特許文献１の場合の用紙の伸びの影響を、図１８（ａ）乃至図１９（ｃ）を参照して説明する。図１８（ａ）及び図１９（ａ）で示されるように、隣接するインクヘッド２００ａ、２００ｂは千鳥状に配置されている。  
インクヘッド２００ａ、２００ｂの主走査方向の位置決め調整を行う際に、インクヘッド２００ｂの端のダミーノズル２０２にインクヘッド２００ａの端のノズル２０１ａが図中に示す記録媒体搬送方向に沿って合うように、カメラで同時に撮影しながら位置決め調整が行われる。
【０００８】
画像記録は、インクヘッド２００ａの複数のノズル２０１ａと、インクヘッド２００ｂのダミーノズル２０２を除く複数のノズル２０１ｂで行われる。インクヘッド２００ａの端のノズル２０１ａと、インクヘッド２００ｂのダミーノズル２０２の隣のノズル２０１ｂ間が、つなぎ目２０４となる。  
このとき、隣接するインクヘッド２００ａ、２００ｂのノズル同士をカメラで同時に撮影しながら位置決め調整しても、記録媒体にインクを塗布すると記録媒体が伸びてしまい、つなぎ目２０４でのドット配列にずれが発生する。
【０００９】
即ち、図１８（ｂ）及び図１９（ｂ）に示すように、まずは、インクヘッド２００ａのノズル２０１ａによって記録媒体上にドット２０３ａが形成される。記録直後のドット２０３ａの配置は、インクヘッド２００ａのノズル２０１ａの配置にほぼ等しい。  
しかし、図１８（ｃ）に示すように、インクヘッド２００ｂのノズル２０１ｂによって記録媒体上にドット２０３ｂが形成される時には、インクヘッド２００ａのノズル２０１ａによって記録媒体上にドット２０３ａは、図示する記録媒体の伸び方向にずれが発生している。この結果、つなぎ目２０４でドット間隔が拡がり、白筋が発生し、つなぎ目の画像記録品位を極端に下げ、目立つことになる。
【００１０】
同様に、図１９（ｃ）に示すように、インクヘッド２００ｂのノズル２０１ｂによって記録媒体上にドット２０３ｂが形成される時には、インクヘッド２００ａのノズル２０１ａによって、記録媒体上に形成されたドット２０３ａは、図示する記録媒体の伸び方向にずれが発生している。この結果、つなぎ目２０４でドット間隔が狭まり、黒筋が発生し、つなぎ目の画像記録品位を極端に下げ、目立つことになる。
【００１１】
特許文献２における記録媒体の伸びの影響を、図２０（ａ）乃至図２１（ｃ）を参照して説明する。  
図２０（ａ）及び図２１（ａ）で示されるように、隣接するインクヘッド３００ａ、３００ｂは、千鳥状に配置されている。画像記録は、インクヘッド３００ａの複数のノズル３０１ａと、インクヘッド３００ｂの複数のノズル３０１ｂで行われる。インクヘッド３００ａの端のノズル３０１ａと、インクヘッド３００ｂの端のノズル３０１ｂ間が、つなぎ目３０３となる。これらインクヘッド３００ａ、３００ｂの主走査方向の位置決め調整においては、調整の都度、画像記録を行うが、いずれにしても調整誤差δが残っている。
【００１２】
この調整誤差δが存在するため、つなぎ目３０３では、インクヘジド３００ａの端のノズル３０１ａと、インクヘッド３００ｂの端のノズル３０１ｂを、１ライン毎に交互にドットを形成することにより、つなぎ目３０３を目立たなくさせている。  
このとき、隣接するインクヘッド３００ａ、３００ｂのつなぎ目３０３を製造工程で目立たなくなるように調整しても、記録媒体へのインクの吐出量（記録媒体を占める印字率の違い）によって記録媒体の伸びが変化し、つなぎ目３０３でのドット配列にずれが発生する。
【００１３】
即ち、図２０（ｂ）及び図２１（ｂ）に示すように、低い印字率の画像記録の場合は、インクヘッド３００ａのノズル３０１ａの配置とノズル３０１ａによって記録媒体上に形成されるドット３０２ａの配置はほぼ等しく、インクヘッド３００ｂのノズル３０１ｂの配置とノズル３０１ｂによって記録媒体上に形成されるドット３０２ｂの配置はほぼ等しく、つなぎ目３０３は目立たない。
【００１４】
しかし、図２０（ｃ）及び図２１（ｃ）に示すように、高い印字率の画像記録の場合は、インクヘッド３００ａのノズル３０１ａによって先に記録媒体上に形成されるドット３０２ａが図示する記録媒体の伸び方向にずれて、インクヘッド３００ｂのノズル３０１ｂによって、次に記録媒体上に形成されるドット３０２ｂ間でのつなぎ目３０３で、ドット密度の粗密が発生する。
【００１５】
この結果、図２０（ｃ）に示す記録媒体の伸び方向では、つなぎ目３０３でドット間隔が拡がり、白筋が発生し、図２１（ｃ）に示す記録媒体の伸び方向では、つなぎ目３０３でドット間隔が狭まり、黒筋が発生し、つなぎ目の画像記録品位を極端に下げ、目立つことになる。また、製造工程でつなぎ目を目立たなくさせるように調整できたとしても、実使用時の画像記録物の印字率や記録媒体の種類は無数にあるため、それぞれの印字率や記録媒体に応じて調整を行い、調整パラメータを装置に記憶させることは現実的に不可能である。
【００１６】
そこで、本発明は、複数のインクヘッドによってラインヘッドを構成し、このラインヘッドによって記録媒体上に画像記録を行った際、各インクヘッドのつなぎ目に相当する部分の濃度ムラを低減するインクジェットプリンタを提供することを目的とする。
【課題を解決するための手段】
【００１７】
上記目的を達成するために、本発明に従う実施形態は、インクを吐出する複数のノズルが予め定めた間隔で配列された、主走査方向に沿った記録媒体の幅に満たない短尺ヘッドを複数用いて、前記主走査方向と直交する方向から見て前記短尺ヘッドの端部に互いに重なりを持たせるようにつなぎ目を設けて、前記主走査方向に沿って配設して構成されるラインヘッドと、記録媒体を保持し、前記主走査方向と直交する方向に、前記ラインヘッド下方を通過させる記録媒体搬送部と、を具備し、前記記録媒体搬送部の前記記録媒体の保持面には、保持している前記記録媒体に対して、前記つなぎ目を含むつなぎ目領域と、前記つなぎ目を含まない非つなぎ目領域を設けて、前記つなぎ目領域の吸着力を非つなぎ目領域より大きくする第１の保持機構、又は前記つなぎ目領域の摩擦係数を非つなぎ目領域より大きくする第２の保持機構のいずれかを搭載し、時間差を有して前記インクが吐出された前記記録媒体の紙伸びにおける前記主走査方向に働く内部応力が分散されるインクジェットプリンタを提供する。
【発明の効果】
【００１８】
本発明によれば、複数のインクヘッドによってラインヘッドを構成し、このラインヘッドによって記録媒体上に画像記録を行った際、各インクヘッドのつなぎ目に相当する部分の濃度ムラを低減するインクジェットプリンタを提供することができる。
【図面の簡単な説明】
【００１９】
【図１】図１は  第１の実施形態に係るインクジェットプリンタの構成を概略的に示す正面図である。
【図２】図２は、画像記録部、ヘッド移動機構及びヘッド支持機構を示す斜視図である。
【図３】図３は、画像記録部、ヘッド移動機構及びヘッド支持機構の概略的な側面構成を示し、ドラムによる記録媒体の保持機構を説明するための図である。
【図４】図４は、インクヘッドのつなぎ目近傍のノズルからインクが吐出されて行われる１回目の画像記録の状態を示す図である。
【図５】図５は、図４に続き、つなぎ目近傍のノズルからインクが吐出されて行われる４回目の画像記録の状態を示す図である。
【図６】図６は、本実施形態のドラムによる記録媒体の保持機構を説明するための図である。
【図７】図７（ａ）は、記録媒体の保持面全域に渡って記録媒体を保持した場合のつなぎ目付近の記録画像を概念的に示す図であり、図７（ｂ）は、記録ヘッドのつなぎ目を含む５箇所の保持領域で保持した記録媒体に記録した概念的な記録画像を示す図である。
【図８】図８は、第１の実施形態の変形例１に係るドラムによる記録媒体の保持機構について説明するための図である。
【図９】図９は、第１の実施形態の変形例２に係るドラムによる記録媒体の保持機構について説明するための図である。
【図１０】図１０は、第２の実施形態に係るドラムによる記録媒体の保持機構について説明するための図である。
【図１１】図１１は、第２の実施形態の変形例に係るドラムによる記録媒体の保持機構について説明するための図である。
【図１２】図１２は、第３の実施形態に係るインクジェットプリンタの正面から見た構成を概略的に示す図である。
【図１３】図１３は、第３の実施形態に係るドラムによる記録媒体の保持機構について説明するための図である。
【図１４】図１４は、第３の実施形態の変形例に係るドラムによる記録媒体の保持機構について説明するための図である。
【図１５】図１５は、第４の実施形態に係るドラムによる記録媒体の保持機構について説明するための図である。
【図１６】図１６は、第５の実施形態の記録部及び搬送機構を上から見た概念的な構成を示す図である。
【図１７】図１７は、図１６に示す記録部及び搬送機構の構成を側方から見た概念的な構成を示す図である。
【図１８】図１８（ａ）乃至（ｃ）は、記録媒体に対する白筋の発生について説明するための図である。
【図１９】図１９（ａ）乃至（ｃ）は、記録媒体に対する黒筋の発生について説明するための図である。
【図２０】図２０（ａ）乃至（ｃ）は、記録媒体に対する白筋の発生について説明するための図である。
【図２１】図２１（ａ）乃至（ｃ）は、記録媒体に対する黒筋の発生について説明するための図である。
【発明を実施するための形態】
【００２０】
以下、図面を参照して本発明の実施形態について詳細に説明する。  
［第１の実施形態］  
本発明の第１の実施形態について、図１乃至図７を参照して説明する。図１は  第１の実施形態に係るインクジェットプリンタ１の構成を概略的に示す正面図である。  
インクジェットプリンタ１は、媒体供給部１０と、搬送部２０と、画像記録部３０と、ヘッド移動機構４０（図２及び図３に図示）と、昇降機構６０と、クリーニング部７０と、媒体排出部８０と、を有している。これら構成部は、媒体排出部８０の後述する排出トレイ８２を除いて、プリンタ本体フレーム２内に収容されている。また、これら構成部は、パーソナルコンピュータやＣＰＵ等の演算処理部を備えた不図示の制御部により制御される。
【００２１】
まず、媒体供給部１０について詳細に説明する。  
本実施形態において、媒体供給部１０は、インクジェットプリンタ１の最下部に配置されている。この媒体供給部１０は、所定の大きさにカットされた記録紙やフィルム等の記録媒体（カット媒体）３を収納する供給トレイ１１と、供給トレイ１１内に収納された記録媒体３を１枚ずつ取り出すピックアップローラ１２と、ピックアップローラ１２によって取り出された記録媒体３を搬送部（搬送経路）２０へ案内するための供給ガイド１３と、を有している。  
なお、供給トレイ１１には、一定の圧力でピックアップローラ１２に記録媒体３を当接させるための不図示のばねが設けられている。
【００２２】
次に、搬送部２０について説明する。  
搬送部２０は、帯電ローラ２１と、ドラム２２と、媒体端検知センサ２３と、除電器２４と、剥離爪２５と、を有している。  
ドラム２２は、横向き配置の導電体材料又は金属材料、例えばアルミニウムによる中空円筒形状（以下、中空アルミ円筒と称する）を成し、その両側面を円盤形状のフランジで塞ぐように形成される。
【００２３】
帯電ローラ２１は、搬送部（搬送経路）２０における最上流側に、ドラム２２に対向して設けられている。この帯電ローラ２１は、供給ガイド１３により案内された記録媒体３をドラム２２の円筒表面に案内するとともに、第１の保持機構となる後述する帯状の絶縁層５０に、正放電することで記録媒体３をドラム２２の円筒表面に電気的に吸着させる働きをする。
【００２４】
本実施形態では、オゾンが発生しにくいように、正（＋）帯電としている。ドラム２２は、ドラム２２の回転軸２２ａによって、プリンタ本体フレーム２に回転可能に軸支されている。このドラム２２は、記録時に記録媒体３を巻き付けるように吸着保持して搬送するために、回転軸２２ａに連結された駆動機構（図示せず）、例えばモータを含む駆動機構により回転されることによって、図１に矢印で示した方向（時計回り）に一定速度の定回転が行われる。
【００２５】
また、ドラム２２の回転軸２２ａには、相対的回転角を検出する図示しないエンコーダが連結されている。ドラム２２の円筒表面上には、記録媒体３を吸着保持するための後述する帯状の絶縁層５０が設けられている。また、ドラム２２自体はスラスト方向のガタが発生しないように構成されている。媒体端検知センサ２３は、帯電ローラ２１の下流側の搬送経路に、ドラム２２に対向して設けられている。
【００２６】
この媒体端検知センサ２３は、発光素子と受光素子とを有している。媒体端検知センサ２３は、発光素子からの光がドラム２２の円筒表面又は記録媒体３の表面で反射されて受光素子に受信されたとき、ドラム２２の円筒表面と記録媒体３の表面との反射率の違いによって、ドラム２２上に吸着された記録媒体３の境界（記録媒体端）を検知し、記録媒体３の絶対的回転位置を検出する。
【００２７】
除電器２４は、後述する画像記録部３０の下流側の搬送経路に、ドラム２２に対向して設けられている。この除電器２４は、交流放電をすることでドラム２２に電気的に吸着された状態にある記録媒体３の吸着力を消滅させる（除電する）働きをする。  
剥離爪２５は、その先端部がドラム２２の円筒表面に接するように配置され、吸着力がなくなった記録媒体３をドラム２２から剥離するとともに、媒体排出部８０へ案内する。尚、剥離動作を行うときを除いて、剥離爪２５の先端部は、除電器２４による除電タイミングと同期して駆動される不図示のアクチュエータにより、ドラム２２の円筒表面から離間した位置に退避される。
【００２８】
次に、画像記録部３０について、図１乃至図３を参照して説明する。  
ここで、図２は、画像記録部、ヘッド移動機構及びヘッド支持機構を示す斜視図である。また、図３は、ドラム、画像記録部、ヘッド移動機構及びヘッド支持機構の概略的な側面構成を示し、ドラムによる記録媒体の保持機構を説明するための図である。
【００２９】
画像記録部３０は、媒体端検知センサ２３と除電器２４との間の搬送経路中に、ドラム２２の円筒表面に沿うように対向して設けられている。この画像記録部３０は、ラインヘッド３１及びラインヘッド３１を保持するヘッドホルダ３２により構成されているヘッドユニットと、一端側がヘッドホルダ３２に、他端側が記録部固定フレームにそれぞれ接続され、ヘッドホルダ３２を記録部固定フレームに対して鉛直方向に吊り下げ式に保持するヘッド支持機構となる２枚１組の平行板ばね３３と、を有している。
【００３０】
本実施形態では、搬送経路の上流側から順番に、シアン（Ｃ）、ブラック（Ｋ）、マゼンタ（Ｍ）、イエロー（Ｙ）の４色のラインヘッド３１がヘッドホルダ３２に一体的に組み合わされて、ヘッドユニットを構成している。尚、本実施形態のラインヘッド３１は、図３の矢印で示した記録媒体３の搬送方向に直交する方向に配列され、互い違いに（千鳥状に）配列された複数のインクヘッド３４ａ〜３４ｆによって構成されている。
【００３１】
インクヘッド３４ａ〜３４ｆは隣接するインクヘッド同士で所定量の重なりを形成し、つなぎ目３５ａ〜３５ｅを設けて主走査方向に沿って交互に配設、所謂、千鳥状に配置で構成される。尚、ラインヘッドは、他にも、インクヘッドを主走査方向に沿って階段状に配置する構成でもよい。本実施形態では、インクヘッド３４ａ〜３４ｆの解像度は、１５０ｄｐｉで、つなぎ目３５ａ〜３５ｅのオーバーラップ量が、例えば、５ノズルとなるように、インクヘッド３４ａ〜３４ｆはヘッドホルダ３２に組み込まれる。ラインヘッド３１のノズル面３１ａ、即ちドラム２２に対向している側には、記録媒体３の搬送される方向と直交する方向（主走査方向）において、複数のノズル３１ｂがノズルピッチｄで列を成して形成（配列）されている。
【００３２】
ドラム２２に電気的に吸着された記録媒体３がラインヘッド３１の下方を通過したとき、ラインヘッド３１は、不図示の制御部から受信した画像記録データに応じてこれらノズル３１ｂからインクを吐出して、記録媒体３に画像を記録する。ヘッド支持機構である平行板ばね３３は、弾性材料により形成され、その材料の弾性域内で、ヘッドホルダ３２は外力に応じて主走査方向に擁むように保持されている。
【００３３】
後述するヘッド移動機構４０により、ヘッドホルダ３２をラインヘッド３１の長手方向（主走査方向）に移動した場合でも、２枚１組の平行板ばね３３で平行リンク機構を形成しているため、ラインヘッド３１のノズル面３１ａとドラム２０の表面は平行な関係を保っ構成となっている。また、ヘッドホルダ３２を平行板ばね３３で保持することにより、摺動抵抗がないため、ヘッドホルダ３２は滑らかに移動できることとなる。
【００３４】
次に、ヘッド移動機構４０について、図２並びに図３を参照して説明する。  
ヘッド移動機構４０は、ラインヘッド３１の長手方向（主走査方向）一端側に設けられ、ヘッドホルダ３２に当接するカム４１と、カム４１に接続され、カム４１を駆動（回転）させるためのステッピングモータ４２とからなる駆動部と、ラインヘッド３１の長手方向他端側に設けられ、ヘッドホルダ３２をカム４１に向かって付勢する弾性部材、例えば、コイル形状の付勢ばね４３と、を有している。
【００３５】
カム４１は、カムの外周端面（カム曲面）の１点でヘッドホルダ３２に接しており、ステッピングモータ４２を駆動させることにより連続的に変更されるカム４１の接点部における半径に応じて、ヘッドユニット（ラインヘッド３１及び、ヘッドホルダ３２）が主走査方向に対して平行であり、図３に示す矢印の方向（ヘッドユニット移動方向）に微小移動可能となっている。例えば、圧縮コイルばねである付勢ばね４３は、ヘッドホルダ３２がカム曲面に押し当てられる方向に、付勢力Ｆｂを与える。
【００３６】
この付勢力が、微小移動時の最大加速度αmaxによって、ラインヘッド３１に発生する最大荷重Ｆmax＝Ｍ×αmax（Ｍはラインヘッド３１の質量）よりも大きくなるようなばねが選定される（Ｆｂ＞Ｆmax）ため、ヘッドホルダ３２とカム曲面とは、十分な付勢力により常に互いに当接した状態を保つ。即ち、この付勢力により、ヘッドホルダ３２とカム４１とは、ヘッドユニットの移動時にも離間することなく、ステッピングモータ４２の回転角度に応じた接点部のカム半径に忠実に、ラインヘッド３１の水平方向の正確な微小移動が可能となっている。
【００３７】
次に、昇降機構６０について説明する。  
昇降機構６０は、ヘッドホルダ３２に螺合され、鉛直方向に延びたリードスクリュ６１と、リードスクリュ６１の上端部に取り付けられた第１のギヤ６２と、昇降モータ６３の軸６３ａに取り付けられ、第１のギヤ６２と嵌合している第２のギヤ６４と、を有している。  
この昇降機構６０は、昇降モータ６３の駆動によってリードスクリュ６１が回転すると、リードスクリュ６１と螺合されたヘッドホルダ３２が昇降させる。かくして、昇降機構６０は、画像記録部３０を、ヘツドクリーニング時や画像記録待機時においてドラム２２から退避した退避位置と、画像記録時においてドラム２２に近接している画像記録位置とに移動させる。
【００３８】
次に、クリーニング部７０について説明する。  
クリーニング部７０は、ドラム２２の円筒表面に沿うように対向して設けられている。このクリーニング部７０は、ラインヘッド３１をクリーニングするために、図示していないが、インクを拭き取るワイプブレードや吸引機構等の既知のクリーニング機構を有している。
【００３９】
このクリーニング部７０は、待機時や画像記録時には、図１に示すように、ラインヘッド３１の近傍に配置されている（退避位置）。クリーニングを行う際は、まず、昇降機構６０によって画像記録部３０を上昇、即ちドラム２２から上方に離間させる。これにより、画像記録部３０とドラム２２との間に空間が形成される。
【００４０】
次に、クリーニング部７０を不図示のクリーニング部移動機構によって前記空間に向かって移動させ、画像記録部３０と対向させる（クリーニング位置）。そして、クリーニング部７０が、画像記録部３０（ラインヘッド３１）のクリーニングを行う。クリーニングが終わると、画像記録部３０及びクリーニング部７０は、図１に示す退避位置に移動する。
【００４１】
次に、媒体排出部８０について説明する。  
媒体排出部８０は、ベルトユニット８１と、排出トレイ８２と、を有している。ベルトユニット８１は、不図示の吸引ユニットと、複数のローラと、これらローラに架け渡された複数の孔が形成された無端ベルトと、により構成されている。このベルトユニット８１は、画像記録後に剥離爪２５によってドラム２２から剥離された記録媒体３の記録面の裏面を無端ベルト上に吸引吸着して、排出トレイ８２へと搬送する。排出トレイ８２は、画像記録された記録媒体３を整列収納する。
【００４２】
以上のように構成されたインクジェットプリンタ１による、１枚の記録媒体３への一連の画像記録動作について、図３乃至図５を参照して説明する。図４は、インクヘッド３４ａ、３４ｂのつなぎ目３５ａ近傍のノズルからインクが吐出されて行われる１回目の画像記録の状態を示す図である。図５は、図４に続き、つなぎ目近傍のノズルからインクが吐出されて行われる４回目の画像記録の状態を示す図である。
【００４３】
本実施形態のインクジェットプリンタ１は、１パスで画像を記録する高速画像記録モードと、複数パスにより高解像度で画像を記録する高密度画像記録モードの２つの画像記録モードを有する。  
まず、１パスによる画像記録について説明する。この１パスによる画像記録は、インクヘッドのノズルピッチｄのままの解像度で画像を記録する高速画像記録モードで画像記録を行う。
【００４４】
画像記録動作が開始されると、ドラム２２が図１の矢印方向（時計回り）に回転し始める。そして、予め設定されたタイミングを見計らって、記録媒体３が供給トレイ１１からピックアップローラ１２により１枚送り込まれる。送り込まれた記録媒体３は、供給ガイド１３により案内されて、帯電ローラ２１、ドラム２２の円筒表面へと搬送される。同時に、帯電ローラ２１は、正（＋）放電を開始し、ドラム２２の円筒表面に形成した絶縁層を帯電させ、記録媒体３をドラム２２の円筒表面に電気的に吸着させる。
【００４５】
ドラム２２に吸着された記録媒体３は、ドラム２２の回転に従って搬送され、媒体端検知センサ２３の下方を通過する。このとき、媒体端検知センサ２３が、搬送される記録媒体３の搬送方向側の先端を検出する。この先端が検出されると、この検出した情報、及びエンコーダの情報が不図示の制御部に送信され、この情報に基づいて続く画像記録部３０（ラインヘッド３１）による記録媒体３への画像記録開始及び終了のタイミングが決定される。
【００４６】
そして、図４に示すように、Ｃ、Ｋ、Ｍ、Ｙの各ラインヘッド３１のノズル３１ｂから、記録すべき所望のデータに基づいて各色のタイミングでインクが吐出されて、記録媒体３に画像記録がなされる。少なくとも画像記録動作中は、ラインヘッド３１のノズル面３１ａ又はその近傍に、記録媒体３に印加した静電電位と同じ電位（この例では＋電位）で数百ボルト〜数キロボルトのバイアス電位を印加している。このため、ドラム２２に静電気で密着した記録媒体３やゴミ等は、同じ電位のノズル面３１ａとは反発し合い、ノズル面３１ａやノズル３１ｂに付着しにくくなっている。
【００４７】
画像記録の終了した記録媒体３が除電器２４の下方を通過するのとほぼ同時に、除電器２４はＡＣ放電を開始し、ドラム２２に電気的に密着された記録媒体３のドラム２２の円筒表面への吸着力を消滅させる（除電する）。その直後、剥離爪２５が、不図示のアクチュエータにより、除電器２４による除電のタイミングと同期して駆動され、記録媒体３下に先端を差し入れて、ドラム２２の円筒表面から剥離して、記録媒体３の搬送方向の先端をベルトユニット８１に受け渡す。
【００４８】
ベルトユニット８１は、少なくとも画像記録時は矢印方向に、ドラム２２の周速よりも速い速度で移動している。よって、ベルトユニット８１上に移動した記録媒体３は、不図示の吸引箱の負圧で無端ベルトの穴を介して、無端ベルト上に密着搬送される。そして、記録媒体３は、排出トレイ８２上に排出される。かくして、１枚の記録媒体３への一連の１パス時の画像記録動作が終了する。
【００４９】
次に、マルチパスによる画像記録について説明する。  
例えば、解像度を４倍にするために、つまりノズルピッチｄの４倍の密度で画像を記録するために、１回目の画像記録の後、ヘッドユニット（ラインヘッド３１、ヘッドホルダ３２）をノズルピッチｄの１／４だけ移動させて、２回目、３回目、４回目の画像記録を行う場合について説明する。
【００５０】
画像記録動作が開始されると、ドラム２２が図１の矢印方向（時計回り）に回転し始める。そして、ドラム２２が定回転となる予め設定されたタイミングを見計らって、記録媒体３が供給トレイ１１からピックアップローラ１２により１枚送り込まれる。送り込まれた記録媒体３は、供給ガイド１３により案内されて、帯電ローラ２１、ドラム２２の円筒表面へと搬送される。同時に、帯電ローラ２１は、正（＋）放電を開始し、ドラム２２の円筒表面に形成した絶縁層を帯電させ、記録媒体３をドラム２２の円筒表面に電気的に吸着させる。
【００５１】
ドラム２２の円筒表面に吸着された記録媒体３は、ドラム２２の回転と供に搬送され、媒体端検知センサ２３の下方を通過する。このとき、媒体端検知センサ２３が、ドラム２２の円筒表面上における記録媒体３の搬送方向の先端を検出する。先端が検出されると、この検出した情報、及びエンコーダの情報が不図示の制御部に送信され、この情報に基づいて続く画像記録部３０（ラインヘッド３１）による記録媒体３への画像記録開始及び終了のタイミングが決定される。
【００５２】
そして、図４に示すように、Ｃ、Ｋ、Ｍ、Ｙの各ラインヘッド３１のノズル３１ｂから、記録すべき所望のデータに基づいて各色のタイミングでインクが吐出されて、記録媒体３に１回目の画像記録がなされる。  
その後、１回目の画像記録の後、除電器２４を作動させず、故に記録媒体３がドラム２２から剥離されることなくもう１回転させて、記録媒体３が再びラインヘッド位置に達する。その間に、ヘッド移動機構４０のステッピングモータ４２を駆動させて、ヘッドホルダ３２とのカム４１の当接位置を変えて、ヘッドユニットをノズルピッチｄの１／４に相当する距離だけヘッドユニット移動方向に移動させて、記録媒体３に２回目の画像記録がなされる。
【００５３】
２回目の画像記録の後も、除電器２４を作動させず、記録媒体３がドラム２２から剥離されることなく、再度、１回転させて、記録媒体３が再びラインヘッド位置に達する。その間に、ヘッド移動機構４０のステッピングモータ４２を駆動させて、ヘッドホルダ３２とのカム４１の当接位置を変えて、ヘッドユニットをノズルピッチｄの１／４に相当する距離だけさらにヘッドユニット移動方向に移動させて、記録媒体３に３回目の画像記録がなされる。
【００５４】
３回目の画像記録の後も、除電器２４を作動させず、記録媒体３がドラム２２から剥離されることなくもう１回転させて、記録媒体３が再びラインヘッド位置に達する。その間に、ヘッド移動機構４０のステッピングモータ４２を駆動させて、ヘッドホルダ３２とのカム４１の当接位置を変えて、ヘッドユニットをノズルピッチｄの１／４に相当する距離だけさらにヘッドユニット移動方向に移動させて、図５に示されるように記録媒体３に４回目の画像記録がなされる。これにより、ラインヘッド３１をノズルピッチｄの１／４の距離だけノズル列方向に３回移動させて補間記録を行い、ノズルピッチ以上の高密度な画像記録を行うことが可能となっている。
【００５５】
４回目の画像記録の終了した記録媒体３が除電器２４の下方を通過するのとほぼ同時に、除電器２４はＡＣ放電を開始し、ドラム２２に電気的に密着された記録媒体３のドラム２２の円筒表面への吸着力を消滅させる（除電する）。  
その直後、剥離爪２５が、不図示のアクチュエータにより、除電器２４による除電のタイミングと同期して駆動され、記録媒体３をドラム２２の円筒表面から剥離して、記録媒体３の搬送方向の先端をベルトユニット８１に受け渡す。ベルトユニット８１は、少なくとも画像記録時は矢印方向に、ドラム２２の周速よりも速い速度で移動している。
【００５６】
よって、ベルトユニット８１上に移動した記録媒体３は、不図示の吸引箱の負圧で無端ベルトの穴を介して、無端ベルト上に密着搬送される。そして、記録媒体３は、排出トレイ８２上に排出される。かくして、１枚の記録媒体３への一連の複数パス時の画像記録動作が終了する。
【００５７】
次に、本実施形態における記録媒体の保持機構について説明する。  
図６は、本実施形態のドラムによる記録媒体の保持機構を説明するための図である。  
この保持機構において、アルミニウム等の金属からなるドラム２２の円筒表面には、５箇所に分散して搬送方向に沿った帯状の絶縁プラスチックコートによる第１の保持機構である絶縁層５０を形成する。各々の絶縁層５０は、記録媒体の搬送方向に沿って、ドラム２２の円筒表面に１周分で形成されている。尚、絶縁層５０の数はつなぎ目の数と同数であり、本実施形態において、５つの継ぎ目のあるラインヘッドを採用しているためであり、５箇所に限定されるものではない。
【００５８】
５箇所の絶縁層５０は、インクヘッド３４ａ〜３４ｆのつなぎ目３５ａ〜３５ｅに対向するドラム２２の円筒表面上の位置に形成されている。この絶縁層５０の幅は、つなぎ目３５ａ〜３５ｅを含み、かつ隣接するインクヘッドのオーバーラップ量以上の幅とする。即ち、従来のドラムでは、円筒表面の全面に渡り、絶縁プラスチックコートされているが、本実施形態では、インクヘッドのつなぎ目に対向するドラムの円筒表面上の位置のみに絶縁層５０が形成され、以外は、金属面が露呈している。  
また、帯電ローラ２１は、一体的に構成され、それぞれに絶縁層５０と当接する５個のローラ部を備えている。これらのローラ部の軸方向寸法は、５箇所の絶縁層５０全てに当接可能なように配置されている。
【００５９】
次に、記録媒体３をドラム２２の円筒表面に吸着させる動作について説明する。  
まず、画像記録動作が開始されると、ドラム２２が回転し始める。ドラム２２が定回転となる予め設定されたタイミングを見計らって、記録媒体３が供給トレイ１１からピックアップローラ１２により１枚送り込まれる。送り込まれた記録媒体３は、供給ガイド１３により案内されて、帯電ローラ２１、ドラム２２の円筒表面へと搬送される。
【００６０】
同時に、帯電ローラ２１は、正（＋）放電を開始し、ドラム２２の円筒表面に形成した５箇所の絶縁層５０のみを帯電させた保持領域を作りだし、その領域のみで記録媒体３をドラム２２の円筒表面に電気的に吸着させる。以降の説明において、帯電している状態の絶縁層５０は記録媒体を保持する保持領域５０と称している。  
このようにして、少なくとも記録媒体３におけるつなぎ目３５ａ〜３５ｅのノズルにより画像記録される部分のみが各保持領域５０で吸着されている。尚、これらの保持領域５０に吸着された記録媒体３の領域以外の領域は、保持されず、フリー状態である。
【００６１】
インク吐出によって発生した記録媒体の伸びは、つなぎ目３４ａと３５ｂ間、３５ｂと３５ｃ間、３５ｃと３５ｄ間、３５ｄと３５ｅ間で、その伸びによる主走査方向の内部応力が分散されることになる。また、つなぎ目３５ａと記録媒体３の左端間の領域、つなぎ目３５ｅと記録媒体３の右端間の領域でも、それぞれの主走査方向の距離分だけ記録媒体が伸びることとなる。
【００６２】
図７（ａ）は、記録媒体の保持面全域に渡って記録媒体を保持（ここでは全面吸着と称す。）した場合のつなぎ目付近の記録画像を概念的に示す図であり、図７（ｂ）は、前述した記録ヘッドのつなぎ目を含む５箇所の保持領域５０で保持した記録媒体に記録した概念的な記録画像を示している。  
全面吸着時の記録画像と分散吸着時の記録画像を目視で比較すると、全面吸着時の記録画像ではつなぎ目が目立ち、分散吸着時の記録画像ではつなぎ目が目立ちにくいことがわかる。
【００６３】
以上にように、インクヘッド３４ａ〜３４ｆのつなぎ目３５ａ〜３５ｅに相当する記録媒体の領域を吸着保持し、これ以外の領域は吸着保持しないことで、インク吐出による記録媒体の伸びが発生しても、伸びによる記録媒体の内部応力は分散される。その結果、つなぎ目３５ａ〜３５ｅに相当する記録媒体の領域では伸びの影響を抑制できることになり、記録画像のつなぎ目で紙伸びがない装置を提供することが可能となる。
【００６４】
また、つなぎ目３４ａと３５ｂ間、３５ｂと３５ｃ間、３５ｃと３５ｄ間、３５ｄと３５ｅ間の領域でも、伸びによる記録媒体の内部応力が分散されることから、各インクヘッドの主走査方向の幅のおよそ半分程度の距離での記録媒体の伸びに抑制される。その結果、記録媒体の伸びが完全に防止されるものではないが、人間の視覚におけるずれが認められない程度まで抑制されることで、つなぎ目においても記録媒体の伸びが抑制されることで、より高い画像記録品位となる。
【００６５】
さらに、つなぎ目３５ａと記録媒体３の左端間の領域、つなぎ目３５ｅと記録媒体３の右端間の領域でも、伸びによる記録媒体の内部応力が分散されることから、各インクヘッドの主走査方向の幅に相当するおよその距離での記録媒体の伸びに抑制される。その結果、記録媒体の伸びが抑制されることで、つなぎ目においても記録媒体の伸びが抑制されることで、より高い画像記録品位となる。  
よって、１パス及びマルチパスの画像記録における画質低下の原因として説明した紙伸により発生するつなぎ目に発生する白筋、黒筋及び色ずれに対しても、つなぎ目３５ａ〜３５ｅに相当する記録媒体の領域における伸びの影響を抑制することで、画像記録品位を劣化させることがなくなる。
【００６６】
［第１の実施形態の変形例１］
第１の実施形態の変形例１について、図８を参照して説明する。  
図８は、変形例１のドラムによる記録媒体の保持機構を示す図である。以下の説明において、前述した第１の実施形態と同等の構成部材には同じ参照符号を付して、その説明は省略する。
【００６７】
本変形例においては、ドラム２２の円筒表面上に、少なくとも保持された記録媒体３の主走査方向の幅を超える幅で１周の円筒表面に渡り、又はドラム２２の全円筒表面上に、絶縁層５６からなる絶縁プラスチックコートが形成される。  
さらに、帯電ローラ５５は、５個のローラ部を備えている。各ローラ部は、インクヘッド３４ａ〜３４ｆのつなぎ目３５ａ〜３５ｅ部分が対向するドラム２２の円筒表面上に前述した帯電状態の絶縁層５６からなる保持領域５７を生成するように配置されている。
【００６８】
５箇所の保持領域５７は、各ローラ部が当接する絶縁層５６に対してドラム２２の円筒表面の１周に亘り帯状に帯電されることで形成される。保持領域５７の幅は、帯電ローラ５５の５個のローラ部の幅と等しく、この幅は、つなぎ目３５ａ〜３５ｅを含み、かつ隣接するインクヘッドのオーバーラップ量以上の幅とする。
【００６９】
次に、記録媒体３をドラム２２の円筒表面に吸着させる動作について説明する。  
画像記録動作が開始されると、ドラム２２が回転し始める。そして、ドラム２２が定回転に達する予め設定されたタイミングを見計らって、記録媒体３が供給トレイ１１からピックアップローラ１２により１枚送り込まれる。  
送り込まれた記録媒体３は、供給ガイド１３により案内されて、帯電ローラ２１、ドラム２２の円筒表面へと搬送される。同時に、帯電ローラ５５は、正（＋）放電を開始し、ドラム２２の円筒表面に局部的に帯電させた帯状の保持領域５７を形成して、記録媒体３を電気的に吸着する。
【００７０】
このようにして、記録媒体３をドラム２２の円筒表面に形成した５箇所の保持領域５７により、記録媒体３におけるインクヘッド３４ａ〜３４ｆのつなぎ目３５ａ〜３５ｅのノズルから吐出されるインク滴の着弾箇所が電気的に吸着保持される。これらの保持領域５７以外の領域では、着弾したインク滴による記録媒体の伸びが発生するが、つなぎ目３４ａと３５ｂ間、３５ｂと３５ｃ間、３５ｃと３５ｄ間、３５ｄと３５ｅ間で、記録媒体の伸びによる主走査方向の内部応力は、分散されることになる。  
また、つなぎ目３５ａと記録媒体３の左端間の領域、つなぎ目３５ｅと記録媒体３の右端間の領域でも、それぞれの主走査方向の距離分だけ記録媒体が伸びることとなる。
【００７１】
以上にように、インクヘッド３４ａ〜３４ｆのつなぎ目３５ａ〜３５ｅに相当する記録媒体の領域を吸着保持し、これ以外の領域は吸着保持しないことで、インク吐出による記録媒体の伸びが発生しても、伸びによる記録媒体の内部応力は分散される。その結果、つなぎ目３５ａ〜３５ｅに相当する記録媒体の領域では伸びの影響を抑制できることになり、記録画像のつなぎ目で紙伸びが抑制されたインクジェットプリンタを提供することが可能となる。
【００７２】
さらに、つなぎ目３４ａと３５ｂ間、３５ｂと３５ｃ間、３５ｃと３５ｄ間、３５ｄと３５ｅ間の領域でも、伸びによる記録媒体の内部応力が分散されることから、各インクヘッドの主走査方向の幅のおよそ半分程度の距離での記録媒体の伸びに抑制される。その結果、記録媒体の伸びが抑制されることで、つなぎ目においても記録媒体の伸びが抑制されることで、より高い画像記録品位となる。
【００７３】
また、つなぎ目３５ａと記録媒体３の左端間の領域、つなぎ目３５ｅと記録媒体３の右端間の領域でも、伸びによる記録媒体の内部応力が分散されることから、各インクヘッドの主走査方向の幅に相当するおよその距離での記録媒体の伸びに抑制される。その結果、記録媒体の伸びが抑制されることで、つなぎ目においても記録媒体の伸びが抑制されることで、より高い画像記録品位となる。
【００７４】
また、ドラムの円筒表面上に形成する絶縁層を、ドラムの円筒表面のほぼ全域に渡って形成するので、部分的に絶縁層を形成した際のマスキングなどの製造工程が省かれ、安価に絶縁層を形成可能となる。少なくとも画像記録動作中は、ラインヘッド３１のノズル面３１ａ又はその近傍に、記録媒体３に印加した静電電位と同じ電位（この例では＋電位）で数百ボルト〜数キロボルトのバイアス電位を印加している。このため、ドラム２２に静電気で密着した記録媒体３やゴミ等は、同じ電位のノズル面３１ａとは反発し合い、ノズル面３１ａやノズル３１ｂに付着しにくくなっている。
【００７５】
［第１の実施形態の変形例２］
第１の実施形態の変形例２について、図９を参照して説明する。  
図９は、変形例２のドラムによる記録媒体の保持機構を示す図である。以下、第１の実施形態と同等の構成部材には同じ参照符号を付して、その説明は省略する。  
前述した第１の実施形態とは、ドラムによる記録媒体の保持機構が異なっており、本変形例では、記録媒体の吸着を負圧吸引で行っている。ドラム６０は、中空アルミ円筒と両側面のフランジで構成され、一方のドラム軸６０ａは中空軸で、ドラム軸６０ａの軸端にダクト６２を介して取り付けられた少なくとも１つの吸引ファン６１が負圧源となる。
【００７６】
このドラム６０の円筒表面には、５箇所の領域に分散して配置された吸引孔６０ｂが形成されている。各々の吸引孔６０ｂの領域は、記録媒体の搬送方向に沿って、ドラム６０の円筒表面に１周分で形成されている。５箇所の吸引孔６０ｂの領域は、インクヘッド３４ａ〜３４ｆのつなぎ目３５ａ〜３５ｅに相当するドラム６０の円筒表面上の位置に形成され、５箇所の吸引孔６０ｂの領域の幅は、つなぎ目３５ａ〜３５ｅを含み、且つ隣接するインクヘッドのオーバーラップ量以上の幅とする。吸引ファン６１を駆動させることで、ドラム６０の円筒表面に設けられた複数の吸引孔で負圧が発生し、記録媒体３はドラム６０の円筒表面で保持される。
【００７７】
次に、記録媒体３をドラム６０の円筒表面に吸着させる動作について説明する。  
画像記録動作が開始されると、ドラム６０が回転し始める。そして、ドラム６０が定回転となる予め設定されたタイミングを見計らって、記録媒体３が供給トレイ１１からピックアップローラ１２により１枚送り込まれる。送り込まれた記録媒体３は、供給ガイド１３により案内されて、ドラム６０の円筒表面へと搬送される。同時に、吸引ファン６１の駆動が開始し、ドラム６０の円筒表面に設けられ５箇所の領域に分散して配置された吸引孔６０ｂで負圧が発生し、記録媒体３をドラム６０の円筒表面に吸着される。
【００７８】
このようにして、記録媒体３をドラム６０の円筒表面に形成した５箇所の領域に分散して配置された吸引孔６０ｂで吸着することで、記録媒体３のインクヘッド３４ａ〜３４ｆのつなぎ目３５ａ〜３５ｅは、ドラム６０の円筒表面に形成した５箇所の吸引孔６０ｂの領域で吸着される。
【００７９】
５箇所の吸引孔６０ｂの領域で吸着された記録媒体３の領域以外の領域では、インク吐出による記録媒体の伸びが発生するが、つなぎ目３４ａと３５ｂ間、３５ｂと３５ｃ間、３５ｃと３５ｄ間、３５ｄと３５ｅ間で、記録媒体の伸びによる主走査方向の内部応力は、分散されることになる。また、つなぎ目３５ａと記録媒体３の左端間の領域、つなぎ目３５ｅと記録媒体３の右端間の領域でも、それぞれの主走査方向の距離分だけ記録媒体が伸びることとなる。
【００８０】
以上にように、本変形例によれば、１パス及びマルチパスの画像記録において、インクヘッド３４ａ〜３４ｆのつなぎ目３５ａ〜３５ｅに相当する記録媒体の領域を吸着保持し、これ以外の領域は吸着保持しないことで、インク吐出による記録媒体の伸びが発生しても、伸びによる記録媒体の内部応力は分散される。その結果、つなぎ目３５ａ〜３５ｅに相当する記録媒体の領域では、紙伸びの影響を抑制できることになり、記録画像のつなぎ目で白筋や黒筋が減少されたインクジェットプリンタを提供できる。
【００８１】
また、つなぎ目３４ａと３５ｂ間、３５ｂと３５ｃ間、３５ｃと３５ｄ間、３５ｄと３５ｅ間の領域でも、伸びによる記録媒体の内部応力が分散されることから、各インクヘッドの主走査方向の幅のおよそ半分程度の距離での記録媒体の伸びに抑制される。その結果、記録媒体における全体的な伸び、特に媒体周辺部の伸が抑制されることで、色ずれのないより高品位な画像記録を実現することができる。
【００８２】
さらに、つなぎ目３５ａと記録媒体３の左端間の領域、つなぎ目３５ｅと記録媒体３の右端間の領域でも、伸びによる記録媒体の内部応力が分散されることから、各インクヘッドの主走査方向の幅に相当するおよその距離での記録媒体の伸びに抑制される。その結果、記録媒体の伸びが抑制されることで、つなぎ目においても記録媒体の伸びが抑制されることで、より高い画像記録品位となる。
【００８３】
［第２の実施形態］  
第２の実施形態について、図１０を参照して説明する。  
図１０は、第２の実施形態のドラムによる記録媒体の保持機構を示す図である。以下、第１の実施形態と同等の構成部材には同じ参照符号を付して、その説明は省略する。  
ドラム２２の円筒表面には、６箇所に分散して配置された帯状の絶縁層８０が形成されている。各々の絶縁層８０は、記録媒体の搬送方向に沿って、ドラム２２の円筒表面に１周分で形成されている。
【００８４】
これらの６箇所の帯状の絶縁層８０は、インクヘッド３４ａ〜３４ｆのつなぎ目３５ａ〜３５ｅに対向するドラム２２の円筒表面上の領域を両側から挟むように等間隔で形成され、且つインクヘッド３４ａ〜３４ｆの主走査方向の幅のほぼ中央に位置する。また、図１２においては、各つなぎ目間のほぼ中央に１本の帯状の絶縁層８０であるが、２本の帯状の絶縁層８０に分離して、それぞれをつなぎ目の隣接するように絶縁層を配置した構成であってもよい。  
また、帯電ローラ２１は、一体のローラ部を備え、ローラ部の軸方向寸法は６箇所の絶縁層８０全てに当接可能なように配置されている。帯電ローラ２１によって帯電された状態の絶縁層８０を保持領域８０と称する。
【００８５】
次に、記録媒体３をドラム２２の円筒表面に吸着させる動作について説明する。  
画像記録動作が開始されると、ドラム２２が回転し始める。そして、ドラム２２が定回転となる予め設定されたタイミングを見計らって、記録媒体３が供給トレイ１１からピックアップローラ１２により１枚送り込まれる。送り込まれた記録媒体３は、供給ガイド１３により案内されて、帯電ローラ２１、ドラム２２の円筒表面へと搬送される。同時に、帯電ローラ２１は、正（＋）放電を開始し、絶縁層８０を帯電させて保持領域８０を形成し、記録媒体３を保持領域８０に電気的に吸着させる。
【００８６】
このようにして、保持領域８０に吸着された記録媒体３の領域以外の領域では、インク吐出による記録媒体の伸びが発生するが、つなぎ目３５ａ〜３５ｅの両側に配置された絶縁層８０を起点としてつなぎ目３５ａ〜３５ｅに向かって記録媒体は伸びる。これにより、ラインヘッド３１と、記録媒体３のつなぎ目３５ａ〜３５ｅに相当する位置の相対的な位置関係は変化しない。
【００８７】
また、各保持領域８０と各つなぎ目３５ａ〜３５ｅ間の領域では、インク吐出による記録媒体の伸びが発生するが、記録媒体の伸びによる主走査方向の内部応力は、分散されることになる。また、左端の保持領域８０と記録媒体３の左端間の領域、右端の保持領域８０と記録媒体３の右端間の領域でも、それぞれの主走査方向の距離分だけ記録媒体が伸びることとなる。
【００８８】
以上にように、インクヘッド３４ａ〜３４ｆのつなぎ目３５ａ〜３５ｅに相当する記録媒体の位置を挟んで、両側に等間隔で配置された記録媒体の領域を吸着保持し、これ以外の領域は吸着保持しないことで、時間差を有したインク吐出による記録媒体の伸びが発生しても、つなぎ目３５ａ〜３５ｅに向かって記録媒体３は伸びることから、ラインヘッド３１と、記録媒体３のつなぎ目３５ａ〜３５ｅに相当する位置の相対的な位置関係は変化しない。  
その結果、つなぎ目３５ａ〜３５ｅに相当する記録媒体の領域では伸びの影響による記録ドットの配列のずれを抑制できることになり、記録画像のつなぎ目で紙伸びの影響を受けず、つなぎ目においても記録媒体の伸びが抑制されることで、より高い画像記録品位となる。
【００８９】
また、６箇所の保持領域８０とつなぎ目３５ａ〜３５ｅ間の領域でも、伸びによる記録媒体の内部応力が分散されることから、各インクヘッドの主走査方向の幅のおよそ半分程度の距離での記録媒体の伸びに抑制される。  
その結果、記録媒体の伸びが抑制されることで、より画像記録品位として目立ちにくくなる。また、左端の保持領域８０と記録媒体３の左端間の領域、右端の保持領域８０と記録媒体３の右端間の領域でも、伸びによる記録媒体の内部応力が分散されることから、各インクヘッドの主走査方向の幅に相当するおよその距離での記録媒体の伸びに抑制される。  その結果、記録媒体の伸びが抑制されることで、つなぎ目においても記録媒体の伸びが抑制されることで、より高い画像記録品位となる。
【００９０】
［第２の実施形態の変形例］
第２の実施形態の変形例について、図１１を参照して説明する。  
図１１は、本変形例における記録媒体の保持機構を示す図である。以下、第２の実施形態と同等の構成部材には、同じ参照符号を付して、その説明は省略する。
【００９１】
前述した第２の実施形態とは、ドラムによる記録媒体の保持機構が異なっており、本変形例では、記録媒体の吸着を負圧吸引で行っている。ドラム９０は、中空アルミ円筒と両側面のフランジで構成され、一方のドラム軸９０ａは中空軸で、ドラム軸９０ａの軸端にダクト６２を介して取り付けられた少なくとも１つの吸引ファン６１が負圧源となる。
【００９２】
ドラム９０の円筒表面には、６箇所の領域に分散して帯状に配置された吸引孔９０ｂが形成されている。各々の吸引孔９０ｂの領域は、記録媒体の搬送方向に沿って、ドラム９０の円筒表面に１周分で形成されている。
【００９３】
６箇所の吸引孔９０ｂの領域は、インクヘッド３４ａ〜３４ｆのつなぎ目３５ａ〜３５ｅに対向するドラム９０の円筒表面上の領域を挟んで、両側に等間隔で形成され、かつ、インクヘッド３４ａ〜３４ｆの主走査方向の幅のほぼ中央に位置する。吸引ファン６１を駆動させることで、ドラム９０の円筒表面に設けられた複数の吸引孔９０ｂで負圧が発生し、記録媒体３はドラム９０の円筒表面で保持される。
【００９４】
次に、記録媒体３をドラム９０の円筒表面に吸着させる動作について説明する。画像記録動作が開始されると、ドラム９０が回転し始める。そして、ドラム９０が定回転となる予め設定されたタイミングを見計らって、記録媒体３が供給トレイ１１からピックアップローラ１２により１枚送り込まれる。送り込まれた記録媒体３は、供給ガイド１３により案内されて、ドラム９０の円筒表面へと搬送される。同時に、吸引ファン６１の駆動が開始し、ドラム９０の円筒表面に設けられ６箇所の領域に分散して配置された吸引孔９０ｂで負圧が発生し、記録媒体３をドラム９０の円筒表面に吸着される。
【００９５】
このようにして、６箇所の領域に分散して配置された吸引孔９０ｂで吸着された記録媒体３の領域以外の領域では、インク吐出による記録媒体の伸びが発生するが、つなぎ目３５ａ〜３５ｅの両側に配置された吸引孔９０ｂの領域を起点としてつなぎ目３５ａ〜３５ｅに向かって記録媒体は伸びる。
【００９６】
このことから、ラインヘッド３１と、記録媒体３のつなぎ目３５ａ〜３５ｅに相当する位置の相対的な位置関係は変化しない。また、６箇所の領域に分散して配置された吸引孔９０ｂとつなぎ目３５ａ〜３５ｅ間の領域では、インク吐出による記録媒体の伸びが発生するが、記録媒体の伸びによる主走査方向の内部応力は、分散されることになる。また、左端の吸引孔９０ｂの領域と記録媒体３の左端間の領域、右端の吸引孔９０ｂの領域と記録媒体３の右端間の領域でも、それぞれの主走査方向の距離分だけ記録媒体が伸びることとなる。
【００９７】
以上にように、インクヘッド３４ａ〜３４ｆのつなぎ目３５ａ〜３５ｅに相当する記録媒体の位置を挟んで、両側に等間隔で配置された記録媒体の領域を吸着保持し、これ以外の領域は吸着保持しないことで、時間差を有したインク吐出による記録媒体の伸びが発生しても、つなぎ目３５ａ〜３５ｅに向かって記録媒体３は伸びることから、ラインヘッド３１と、記録媒体３のつなぎ目３５ａ〜３５ｅに相当する位置の相対的な位置関係は変化しない。
【００９８】
その結果、つなぎ目３５ａ〜３５ｅに相当する記録媒体の領域では伸びの影響による記録ドットの配列のずれを抑制できることになり、記録画像のつなぎ目で紙伸びの影響を受けない装置を提供することが可能となる。
【００９９】
また、６箇所の領域に分散して配置された吸引孔９０ｂとつなぎ目３５ａ〜３５ｅ間の領域でも、伸びによる記録媒体の内部応力が分散されることから、各インクヘッドの主走査方向の幅のおよそ半分程度の距離での記録媒体の伸びに抑制される。その結果、記録媒体の伸びが抑制されることで、つなぎ目においても記録媒体の伸びが抑制されることで、より高い画像記録品位となる。
【０１００】
また、左端の吸引孔９０ｂの領域と記録媒体３の左端間の領域、右端の吸引孔９０ｂの領域と記録媒体３の右端間の領域でも、伸びによる記録媒体の内部応力が分散されることから、各インクヘッドの主走査方向の幅に相当するおよその距離での記録媒体の伸びに抑制される。その結果、記録媒体の伸びが抑制されることで、つなぎ目においても記録媒体の伸びが抑制されることで、より高い画像記録品位となる。
【０１０１】
［第３の実施形態］
第３の実施形態について、図１２及び図１３を参照して説明する。  
図１２は、第３の実施形態に係るインクジェットプリンタ１の構成を概略的に示す正面図である。図１３は、本実施形態における記録媒体の保持機構を示す図である。以下、第１の実施形態と同等の構成部材には同じ参照符号を付して、その説明は省略する。
【０１０２】
本実施形態によるドラム２２の円筒表面には、記録媒体３の主走査方向の幅を超える幅で、記録媒体の搬送方向に沿って１周分に渡り、絶縁層１００が形成されている。そして、それぞれに絶縁層１００と同等長さを持ち、搬送経路の上流側から第１の帯電ローラ１０１及び第２の帯電ローラ１０３が配置され、それぞれドラム２２の円筒表面に当接した状態で回転可能なように取り付けられている。
【０１０３】
帯電ローラ１０１は、５個のローラ部１０１ａを備えており、それらが間隔を空けて配置される。第２の帯電ローラ１０３は、６個のローラ部１０３ａを備えており、円筒表面の両端及び上記間隔を埋めるように、即ち、ローラ部１０１ａとは交互に、６個のローラ部１０３ａが配置されている。これらのローラ部１０１ａ，１０３ａにより、絶縁層１００の全面を帯電させることが可能である。以下の説明で、ローラ部１０１ａにより絶縁層１００の一周に渡り、部分的に帯電させた領域を第１の保持領域１０２とし、ローラ部１０３ａにより絶縁層１００の一周に渡り、部分的に帯電させた領域を第２の保持領域１０４としている。  
第１の保持領域１０２は、インクヘッド３４ａ〜３４ｆのつなぎ目３５ａ〜３５ｅに対向するドラム２２の円筒表面上の部分領域であり、その幅は、つなぎ目３５ａ〜３５ｅを含み、且つ隣接するインクヘッドのオーバーラップ量以上の幅とする。また、第２の保持領域１０４は、第１の保持領域１０２以外のドラム２２の円筒表面上の部分領域である。
【０１０４】
次に、記録媒体３をドラム２２の円筒表面に吸着させる動作について説明する。  
画像記録動作が開始されると、ドラム２２が回転し始める。そして、ドラム２２が定回転となる予め設定されたタイミングを見計らって、記録媒体３が供給トレイ１１からピックアップローラ１２により１枚送り込まれる。送り込まれた記録媒体３は、供給ガイド１３により案内されて、帯電ローラ１０１、ドラム２２の円筒表面へと搬送される。
【０１０５】
同時に、帯電ローラ１０１及び帯電ローラ１０３は、正（＋）放電を開始する。帯電ローラ１０１によって、ドラム２２の円筒表面に形成した絶縁層１００の５箇所の第１の保持領域１０２のみが帯電される。次に、帯電ローラ１０３によって、ドラム２２の円筒表面に形成した絶縁層１００の６箇所の第２の保持領域１０４のみが帯電され、記録媒体３をドラム２２の円筒表面に電気的に吸着させる。
【０１０６】
このとき、本実施形態では、帯電ローラ１０１の印加電圧Ｖ１は、帯電ローラ１０３の印加電圧Ｖ２より高い電圧に設定されている。即ち、第１の保持領域１０２の吸着力（記録媒体に対する垂直効力）は、第２の保持領域１０４の吸着力より高くなるように設定されている。
【０１０７】
第２の保持領域１０４の吸着力は、第１の保持領域１０２の吸着力を補助する程度の垂直効力でよい。即ち、紙伸びによる大きな浮き上がりが生じない程度でよい。このようにして、記録媒体３を第２の帯電部１０４の吸着力に比べて高い吸着力が設定されている５箇所の第１の保持領域１０２で吸着することで、記録媒体３のインクヘッド３４ａ〜３４ｆのつなぎ目３５ａ〜３５ｅはドラム２２の円筒表面に形成した５箇所の第１の保持領域１０２で吸着される。
【０１０８】
また、第１の保持領域１０２の吸着力に比べて、低い吸着力が設定されている６箇所の第２の保持領域１０４で吸着される領域では、インク吐出による記録媒体の伸びが発生するが、つなぎ目３４ａと３５ｂ間、３５ｂと３５ｃ間、３５ｃと３５ｄ間、３５ｄと３５ｅ間で、記録媒体の伸びによる主走査方向の内部応力は、分散されることになる。
【０１０９】
また、つなぎ目３５ａと記録媒体３の左端間の領域、つなぎ目３５ｅと記録媒体３の右端間の領域でも、第１の保持領域１０２の吸着力が第２の保持領域１０４の吸着力より高くなるように設定されていることから、それぞれの領域の主走査方向の距離分だけ記録媒体が伸びることとなる。
【０１１０】
以上にように、インクヘッド３４ａ〜３４ｆのつなぎ目３５ａ〜３５ｅに相当する記録媒体の領域を保持する吸着力を、これ以外の領域を保持する吸着力より高く設定することで、インク吐出による記録媒体の伸びが発生しても、紙伸びによる記録媒体の内部応力は分散される。その結果、つなぎ目３５ａ〜３５ｅに相当する記録媒体の領域では伸びの影響を抑制できることになり、記録画像のつなぎ目で紙伸びがない装置を提供することが可能となる。
【０１１１】
さらに、つなぎ目３４ａと３５ｂ間、３５ｂと３５ｃ間、３５ｃと３５ｄ間、３５ｄと３５ｅ間の領域でも、第１の保持領域１０２の吸着力が第２の保持領域１０４の吸着力より高くなるように設定されており、伸びによる記録媒体の内部応力が分散されることから、各インクヘッドの主走査方向の幅のおよそ半分程度の距離での記録媒体の伸びに抑制される。その結果、記録媒体の伸びによって発生するインクヘッドのノズル配列内の周期むらは、周期性をもって、記録媒体の伸びが抑制されることで、つなぎ目においても記録媒体の伸びが抑制されることで、より高い画像記録品位となる。
【０１１２】
また、つなぎ目３５ａと記録媒体３の左端間の領域、つなぎ目３５ｅと記録媒体３の右端間の領域でも、第１の保持領域１０２の吸着力が第２の保持領域１０４の吸着力より高くなるように設定されており、伸びによる記録媒体の内部応力が分散されることから、各インクヘッドの主走査方向の幅に相当するおよその距離での記録媒体の伸びに抑制される。その結果、記録媒体の伸びが抑制されることで、より画像記録品位として目立ちにくくなる。このように、記録媒体の保持面全域に渡って吸着することで、記録媒体の端の浮きを抑え、記録媒体を安定的に吸着して、搬送可能となり、ジャムの発生率が低減可能となる。
【０１１３】
尚、本実施形態では、つなぎ目に相当する記録媒体の領域の吸着力を、それ以外の領域の吸着力より高くなるように設定したが、逆に、つなぎ目に相当する記録媒体の領域の吸着力を、それ以外の領域の吸着力より低くなるように設定しても良い。  
これにより、ラインヘッドと記録媒体のつなぎ目に相当する位置の相対的な位置関係は変化しないため、つなぎ目に相当する記録媒体の領域では伸びの影響による記録ドットの配列のずれを抑制できることになり、記録画像のつなぎ目で紙伸びの影響を受けない装置を提供することが可能となる。
【０１１４】
［第３の実施形態の変形例］
第３の実施形態の変形例について、図１４を参照して説明する。  
図１４は、本変形例における記録媒体の保持機構を示す図である。以下、第３の実施形態と同等の構成部材には同じ参照符号を付して、その説明は省略する。
【０１１５】
前述した第３の実施形態とは、ドラムによる記録媒体の保持機構が異なっており、本変形例では、記録媒体の吸着を負圧吸引で行っている。ドラム１１０は、中空アルミ円筒と両側面のフランジで構成され、一方のドラム軸１１０ａは中空軸で、ドラム軸１１０ａの軸端にダクト６２を介して取り付けられた少なくとも１つの吸引ファン６１が負圧源となっている。この吸引ファン６１を駆動させることで、ドラム１１０の円筒表面に設けられた後述する複数の吸引孔で負圧が発生し、記録媒体３はドラム１１０の円筒表面で保持される。
【０１１６】
ドラム１１０の円筒表面は、搬送方向に沿って１周に渡り、吸引孔１１０ｂの単位面積当たりの開口率が高く、５箇所に分散して配置された第１の保持領域１１１と、吸引孔１１０ｂの単位面積当たりの開口率が低く、６箇所に分散して配置された第２の保持領域１１２とが形成されている。
【０１１７】
第１の保持領域１１１及び第２の保持領域１１２は、記録媒体の搬送方向に沿って、ドラム１１０の円筒表面に１周分で形成されている。５箇所の第１の保持領域１１１は、インクヘッド３４ａ〜３４ｆのつなぎ目３５ａ〜３５ｅに相当するドラム１１０の円筒表面上の位置に形成され、５箇所の第１の保持領域１１１の幅は、つなぎ目３５ａ〜３５ｅを含み、かつ隣接するインクヘッドのオーバーラップ量以上の幅とする。  
また、６箇所の第２の保持領域１１２は、５箇所の第１の保持領域１１１以外の領域で、記録媒体３の保持面に相当するドラム２２の円筒表面上に形成されている。
【０１１８】
次に、記録媒体３をドラム１１０の円筒表面に吸着させる動作について説明する。  
画像記録動作が開始されると、ドラム１１０が回転し始める。そして、ドラム１１０が定回転となる予め設定されたタイミングを見計らって、記録媒体３が供給トレイ１１からピックアップローラ１２により１枚送り込まれる。送り込まれた記録媒体３は、供給ガイド１３により案内されて、ドラム１１０の円筒表面へと搬送される。同時に、吸引ファン６１の駆動が開始し、ドラム１１０の円筒表面に設けられた第１の保持領域１１１及び第２の保持領域１１２の吸引孔１１０ｂで負圧が発生し、記録媒体３をドラム１１０の円筒表面に吸着される。
【０１１９】
このとき、本実施形態では、第１の保持領域１１１では吸引孔１１０ｂの単位面積当たりの開口率が高く、第２の保持領域１１２では吸引孔１１０ｂの単位面積当たりの開口率が低くなるように設定されている。即ち、第１の保持領域１１１の吸着力（記録媒体に対する垂直効力）は、第２の保持領域１１２の吸着力より高くなるように設定されている。
【０１２０】
第２の保持領域１１２の吸着力は、第１の保持領域１１１の吸着力を補助する程度の垂直効力でよい。このようにして、記録媒体３を第２の保持領域１１２の吸着力に比べて高い吸着力が設定されている５箇所の第１の保持領域１１１で吸着することで、記録媒体３のインクヘッド３４ａ〜３４ｆのつなぎ目３５ａ〜３５ｅは、ドラム２２の円筒表面に形成した５箇所の第１の保持領域１１１で吸着される。
【０１２１】
また、第１の保持領域１１１の吸着力に比べて低い吸着力が設定されている６箇所の第２の保持領域１１２では、インク吐出による記録媒体の紙伸びが発生するが、つなぎ目３４ａと３５ｂ間、３５ｂと３５ｃ間、３５ｃと３５ｄ間・３５ｄと３５ｅ間で、記録媒体の伸びによる主走査方向の内部応力は、分散されることになる。また、つなぎ目３５ａと記録媒体３の左端間の領域、つなぎ目３５ｅと記録媒体３の右端間の領域でも、第１の保持領域１１１の吸着力が第２の保持領域１１２の吸着力より高くなるように設定されていることから、それぞれの領域の主走査方向の距離分だけ記録媒体が伸びることとなる。
【０１２２】
以上にように、インクヘッド３４ａ〜３４ｆのつなぎ目３５ａ〜３５ｅに相当する記録媒体の領域を保持する吸着力を、これ以外の領域を保持する吸着力より高く設定することで、インク吐出による記録媒体の伸びが発生しても、伸びによる記録媒体の内部応力は分散される。その結果、つなぎ目３５ａ〜３５ｅに相当する記録媒体の領域では紙伸びの影響を抑制できることになり、記録画像のつなぎ目における白筋、黒筋及び色ずれを防止することができる。
【０１２３】
さらに、つなぎ目３４ａと３５ｂ間、３５ｂと３５ｃ間、３５ｃと３５ｄ間、３５ｄと３５ｅ間の領域でも、第１の保持領域１１１の吸着力が第２の保持領域１１２の吸着力より高くなるように設定されてい。よって、時間差を有したインク吐出によって生じる紙伸びによる記録媒体の内部応力が分散されることから、各インクヘッドの主走査方向の幅のおよそ半分程度の距離での記録媒体の伸びに抑制される。その結果、記録媒体の伸びが抑制されることで、つなぎ目においても記録媒体の伸びが抑制されることで、より高い画像記録品位となる。
【０１２４】
また、つなぎ目３５ａと記録媒体３の左端間の領域、つなぎ目３５ｅと記録媒体３の右端間の領域でも、第１の保持領域１１１の吸着力が第２の保持領域１１２の吸着力より高くなるように設定されており、伸びによる記録媒体の内部応力が分散されることから、各インクヘッドの主走査方向の幅に相当するおよその距離での記録媒体の伸びに抑制される。その結果、記録媒体の伸びが抑制されることで、つなぎ目においても記録媒体の伸びが抑制されることで、より高い画像記録品位となる。
【０１２５】
［第４の実施形態］
次に、第４の実施形態について、図１５を参照して説明する。  
図１５は、本実施形態における記録媒体の第２の保持機構を示す図である。以下、第１の実施形態と同等の構成部材には同じ参照符号を付して、その説明は省略する。  
ドラム２２の円筒表面には、記録媒体３の主走査方向の幅を超える幅で、搬送方向に沿って１周に渡り、ドラム２２の円筒表面に絶縁層１２０が形成されている。
【０１２６】
また、帯電ローラ２１は、一体的に構成されたローラ部を備える。ローラ部の軸方向寸法は、記録媒体３の主走査方向の幅を超える幅で絶縁層１２０に当接可能なように配置されている。また、ドラム２２の円筒表面には、記録媒体３との摩擦係数が高く、且つ５箇所に間隔を空けて配置された第１の保持領域１２１と、記録媒体３との摩擦係数が低く、第１の保持領域１２１以外の６箇所の領域に配置された第２の保持領域１２２とが形成されている。これらの第１の保持領域１２１及び第２の保持領域１２２は、記録媒体の搬送方向に沿って、ドラム２２の円筒表面に１周分で形成されている。これらの絶縁層１２０、第１の保持領域１２１及び第２の保持領域１２２により第２の保持機構を構成する。
【０１２７】
５箇所の第１の保持領域１２１は、インクヘッド３４ａ〜３４ｆのつなぎ目３５ａ〜３５ｅに相当するドラム１１０の円筒表面上の位置に形成され、５箇所の第１の保持領域１２１の幅は、つなぎ目３５ａ〜３５ｅを含み、かつ隣接するインクヘッドのオーバーラップ量以上の幅とする。  
また、６箇所の第２の保持領域１２２は、５箇所の第１の保持領域１２１以外の領域で、記録媒体３の保持面に相当するドラム２２の円筒表面上に形成されている。
【０１２８】
次に、記録媒体３をドラム２２の円筒表面に吸着させる動作について説明する。画像記録動作が開始されると、ドラム２２が回転し始める。そして、ドラム２２が定回転となる予め設定されたタイミングを見計らって、記録媒体３が供給トレイ１１からピックアップローラ１２により１枚送り込まれる。送り込まれた記録媒体３は、供給ガイド１３により案内されて、帯電ローラ１０１、ドラム２２の円筒表面へと搬送される。同時に、帯電ローラ２１は、正（＋）放電を開始し、ドラム２２の円筒表面に形成した絶縁層１２０において帯電ローラ２１が当接する領域で一様に帯電させ、記録媒体３をドラム２２の円筒表面に電気的に吸着させる。
【０１２９】
即ち、記録媒体３の保持面全域に渡って吸着力（垂直抗力）が作用することになる。このとき、第１の保持領域１２１と記録媒体３との摩擦係数は、第２の保持領域１２２と記録媒体３との摩擦係数より高く設定されている。即ち、第１の保持領域１２１及び第２の保持領域１２２の吸着力（垂直抗力）は同じで、摩擦係数が異なることから、第１の保持領域１２１と記録媒体３間の摩擦力は、第２の保持領域１２２と記録媒体３間の摩擦力より高くなるように設定されている。
【０１３０】
このようにして、記録媒体３を、第１の保持領域１２１間の摩擦力が、第２の保持領域１２２間の摩擦力より高くなるように設定して吸着することで、記録媒体３のインクヘッド３４ａ〜３４ｆのつなぎ目３５ａ〜３５ｅはドラム２２の円筒表面に形成した５箇所の第１の保持領域１２１で吸着保持される。
【０１３１】
また、６箇所の第２の保持領域１２２で吸着される領域では、インク吐出による記録媒体の伸びが発生するが、第１の保持領域１２１と記録媒体３間の摩擦力が、第２の保持領域１２２と記録媒体３間の摩擦力より高くなるように設定されていることから、つなぎ目３４ａと３５ｂ間、３５ｂと３５ｃ間、３５ｃと３５ｄ間、３５ｄと３５ｅ間で、記録媒体の伸びによる主走査方向の内部応力は、分散されることになる。
【０１３２】
また、つなぎ目３５ａと記録媒体３の左端間の領域、つなぎ目３５ｅと記録媒体３の右端間の領域でも、第１の保持領域１２１と記録媒体３間の摩擦力が、第２の保持領域１２２と記録媒体３間の摩擦力より高くなるように設定されていることから、それぞれの領域の主走査方向の距離分だけ記録媒体が伸びることとなる。
【０１３３】
尚、前述した第１，第２の保持領域の円筒表面における摩擦力は、例えば、絶縁層１２０に対してブラスト処理等を用いて、投射材の粒子の径や材質を選択することで、表面粗さの度合いを変えることにより、所望する摩擦力を得ることができる。また、第１，第２の保持領域に形成される絶縁膜上に、異なる摩擦力（摩擦係数）を有する材質を形成して、摩擦力を変化させることも可能である。さらに、第１，第２の保持領域に用いられる絶縁膜を、成膜時に摩擦係数が異なる材料を選択することにより、摩擦力を変化させることも可能である。
【０１３４】
以上にように本実施形態によれば、インクヘッド３４ａ〜３４ｆのつなぎ目３５ａ〜３５ｅに相当する記録媒体の領域のドラムとの摩擦係数を、これ以外の領域のドラムとの摩擦係数より高く設定することで、時間差を有したインク吐出による記録媒体の伸びが発生しても、伸びによる記録媒体の内部応力は分散される。その結果、つなぎ目３５ａ〜３５ｅに相当する記録媒体の領域では伸びの影響を抑制できることになり、記録画像のつなぎ目で白筋、黒筋及び色ずれを防止することができる。
【０１３５】
また、つなぎ目３４ａと３５ｂ間、３５ｂと３５ｃ間、３５ｃと３５ｄ間、３５ｄと３５ｅ間の領域でも、第１の保持領域１２１と記録媒体３間の摩擦力が、第２の保持領域１２２と記録媒体３間の摩擦力より高くなるように設定されており、伸びによる記録媒体の内部応力が分散されることから、各インクヘッドの主走査方向の幅のおよそ半分程度の距離での記録媒体の伸びに抑制される。
【０１３６】
その結果、記録媒体の伸びが抑制されることで、より画像記録品位として目立ちにくくなる。また、つなぎ目３５ａと記録媒体３の左端間の領域、つなぎ目３５ｅと記録媒体３の右端間の領域でも、第１の保持領域１２１と記録媒体３間の摩擦力が、第２の保持領域１２２と記録媒体３間の摩擦力より高くなるように設定されており、伸びによる記録媒体の内部応力が分散されることから、各インクヘッドの主走査方向の幅に相当するおよその距離での記録媒体の伸びに抑制される。その結果、つなぎ目においても記録媒体の伸びが抑制されることで、より高い画像記録品位となる。
【０１３７】
［第５の実施形態］
次に、第５の実施形態について、図１６及び図１７を参照して説明する。図１６は、本実施形態の記録部及び搬送機構をむ上から見た概念的な構成を示す図である。図１７は、図１６に示す記録部及び搬送機構の構成を側方から見た概念的な構成を示す図である。
【０１３８】
本実施形態のインクジェットプリンタ７０は、ベルトプラテン７３による搬送機構７２を備え、プラテン上方に、前述した第１の実施形態と同等な記録ヘッドがプラテンと平行となるように千鳥配置されている記録部７１とから構成される。尚、図１６及び図１７に示す矢印ｍは記録媒体３の搬送方向を示す。  
具体的には、記録部７１は、搬送経路の上流側から順番に、シアン（Ｃ）、ブラック（Ｋ）、マゼンタ（Ｍ）、イエロー（Ｙ）の４色のラインヘッドがヘッドホルダに一体的に組み合わされて、ヘッドユニットを構成している。
【０１３９】
ラインヘッドは、記録媒体３の搬送方向に直交する方向に配列され、互い違いに（千鳥状に）配列された複数のインクヘッド７１ａによって構成されている。インクヘッド７１ａは隣接するインクヘッド同士で所定のオーバーラップ量の重なりを形成し、５箇所のつなぎ目７１ｂを設けて配設して構成される。  
本実施形態における記録媒体の搬送機構は、ベルト搬送であり、記録媒体の吸着は静電吸着である。搬送機構７２は、無端状のベルト７３、駆動ローラ７４、従動ローラ７５、テンションローラ７６から構成される。
【０１４０】
ベルト７３の外周表面には、５箇所に分散して配置された絶縁層７９が形成されている。各々の絶縁層７９は、記録媒体の搬送方向に沿って、ベルト７３の外周表面に１周分で形成されている。５箇所の絶縁層７９は、各々のインクヘッド７１ａの５箇所のつなぎ目７１ｂに相当するベルト７３の外周表面上の位置に形成され、絶縁層７９の幅は、つなぎ目７１ｂを含み、かつ隣接するインクヘッドのオーバーラップ量以上の幅とする。
【０１４１】
また、帯電ローラ７７は、ベルト７３を挟んで、従動ローラ７５に対向配置されている。帯電ローラ７７は、一体のローラ部を備え、ローラ部の軸方向寸法は５箇所の絶縁層５０全てに当接可能なように配置されている。次に、記録媒体３をベルト７３の外周表面に吸着させる動作について説明する。  
画像記録動作が開始されると、駆動ローラ７４が回転し始め、ベルト７３が搬送方向に駆動し始める。そして、予め設定されたタイミングを見計らって、記録媒体３が供給トレイ（不図示）からピックアップローラ（不図示）により１枚送り込まれる。
【０１４２】
送り込まれた記録媒体３は、供給ガイド（不図示）により案内されて、ベルト７３の外周表面へと搬送される。同時に、帯電ローラ７７は、正（＋）放電を開始し、ベルト７３の外周表面に形成した５箇所の絶縁層７９のみを帯電させ、記録媒体３をベルト７３の外周表面に電気的に吸着させる。その後、記録媒体３は記録部７１の直下に搬送され、画像記録が行われる。
【０１４３】
さらに、搬送経路の下流に設けられた除電器７８で、交流放電をすることでベルト７３の５箇所の絶縁層７９で電気的に吸着された状態にある記録媒体３の吸着力をなくし、排紙する。このようにして、記録媒体３をベルト７３の外周表面に形成した５箇所の絶縁層７９で吸着することで、記録媒体３のインクヘッド７１ａの５箇所のつなぎ目７１ｂはベルト７３の外周表面に形成した５箇所の絶縁層７９で吸着される。
【０１４４】
５箇所の絶縁層７９で吸着された記録媒体３の領域以外の領域では、インク吐出による記録媒体の伸びが発生するが、記録媒体の伸びによる主走査方向の内部応力は、分散されることになる。また、両端のつなぎ目と記録媒体３の両端間の領域でも、記録媒体の伸びは累積されずに、それぞれの主走査方向の距離分だけ記録媒体が伸びることとなる。
【０１４５】
以上にように、インクヘッド７１ａの５箇所のつなぎ目７１ｂに相当する記録媒体の領域を吸着保持し、これ以外の領域は吸着保持しないことで、時間差を有したインク吐出による記録媒体の伸びが発生しても、伸びによる記録媒体の内部応力は分散される。  
その結果、５箇所のつなぎ目７１ｂに相当する記録媒体の領域では伸びの影響を抑制できることになり、１パスの画像記録においても、つなぎ目が目立ちにくく、より高い画像記録品位となる。
【符号の説明】
【０１４６】
１，７０…インクジェットプリンタ、２…プリンタ本体フレーム、３…記録媒体、１０…媒体供給部、１１…供給トレイ、１２…ピックアップローラ、１３…供給ガイド、２０，７２…搬送部、２１…帯電ローラ、２２，６０，９０，１１０…ドラム、２３…媒体端検知センサ、２４，７８…除電器、２５…剥離爪、３０，７１…記録部、３１…ラインヘッド、３１ａ…ノズル面、３１ｂ…ノズル、３２…ヘッドホルダ、３３…平行板ばね、３４ａ〜３４ｆ，７１ａ…インクヘッド、３５，７１ｂ…つなぎ目、４０…ヘッド移動機構、４１…カム、４２…ステッピングモータ、４３…付勢ばね、５５，７７…帯電ローラ、５０，５６，７９，８０，１００，１２０…絶縁層、５７…帯電部、６０ａ，９０ａ，１１０ａ…ドラム軸、６０ｂ，９０ｂ，１１０ｂ…吸引孔、６１…吸引ファン、６２…ダクト、７３…ベルト、７４…駆動ローラ、７５…従動ローラ、７６…テンションローラ、１０１…第１の帯電ローラ、１０２…第１の帯電部、１０３…第２の帯電ローラ、１０４…第２の帯電部、１１１…第１の保持領域、１１２…第２の保持領域、１２１…第１の領域、１２２…第２の領域。
【図１】
2012187713.tif 000003
【図２】
2012187713.tif 000004
【図３】
2012187713.tif 000005
【図４】
2012187713.tif 000006
【図５】
2012187713.tif 000007
【図６】
2012187713.tif 000008
【図７】
2012187713.tif 000009
【図８】
2012187713.tif 000010
【図９】
2012187713.tif 000011
【図１０】
2012187713.tif 000012
【図１１】
2012187713.tif 000013
【図１２】
2012187713.tif 000014
【図１３】
2012187713.tif 000015
【図１４】
2012187713.tif 000016
【図１５】
2012187713.tif 000017
【図１６】
2012187713.tif 000018
【図１７】
2012187713.tif 000019
【図１８】
2012187713.tif 000020
【図１９】
2012187713.tif 000021
【図２０】
2012187713.tif 000022
【図２１】
2012187713.tif 000023